(57)【要約】【課題】ファイルを送信する場合にユーザの設定の労力を軽減させることができる画像形成装置を提供する。【解決手段】ＭＦＰ２００ｎでユーザから、ＭＦＰ２００ａ内のファイルを印刷する旨のジョブを受付けると（１）、ＭＦＰ２００ｎは、ＭＦＰ２００ａに画像データを要求する（２）。履歴の集約元１００は、過去にＭＦＰ２００ｎで設定された印刷モードをユーザ毎に集約している。履歴の集約元１００は、ＭＦＰ２００ｎのユーザに関する履歴情報から、推奨される印刷モードを決定する（４）。ＭＦＰ２００ａは、履歴の集約元１００で決定された推奨の印刷モードで、画像ファイルにセットされていた推奨の印刷モードを置換える（６）。【選択図】図４
2007306211.tif 000002
【特許請求の範囲】
【請求項１】
ファイルを送信する送信手段と、
前記送信手段でファイルの送信を行なう送信先におけるファイルの処理の履歴を取得する取得手段と、
前記送信先におけるファイルの処理の履歴に基づいて、前記送信手段において送信されるファイルに設定するモードを決定する決定手段とを備えた、画像形成装置。
【請求項２】
前記決定手段は、前記送信先における推奨モードを決定する、請求項１に記載の画像形成装置。
【請求項３】
前記決定手段は、出力ジョブのモード、印刷モード、読取モード、およびファイルのフォーマットの少なくとも１つを決定する、請求項１または２に記載の画像形成装置。
【請求項４】
前記送信手段は、前記決定手段で決定されたモードを、前記ファイルと共に前記送信先に送信する、請求項１〜３のいずれかに記載の画像形成装置。
【請求項５】
前記決定手段で決定されたモードは、前記送信先で変更可能である、請求項１〜４のいずれかに記載の画像形成装置。
【請求項６】
前記決定手段で決定されたモードの少なくとも一部は、前記送信先で変更不可能とされる、請求項１〜５のいずれかに記載の画像形成装置。
【請求項７】
前記取得手段は、履歴を蓄積するサーバから、送信先におけるファイルの処理の履歴を取得する、請求項１〜６のいずれかに記載の画像形成装置。
【請求項８】
前記送信先として、他の画像形成装置またはユーザを設定可能である、請求項１〜７のいずれかに記載の画像形成装置。
【請求項９】
請求項１〜８のいずれかに記載の画像形成装置と、
前記画像形成装置と通信を行なうファイル送信先の画像形成装置とを備えた、画像形成システム。
【請求項１０】
ファイルを送信する送信ステップと、
前記送信ステップでファイルの送信を行なう送信先におけるファイルの処理の履歴を取得する取得ステップと、
前記送信先におけるファイルの処理の履歴に基づいて、前記送信ステップにおいて送信されるファイルに設定するモードを決定する決定ステップとを備えた、画像形成装置の制御方法。
【請求項１１】
ファイルを送信する送信ステップと、
前記送信ステップでファイルの送信を行なう送信先におけるファイルの処理の履歴を取得する取得ステップと、
前記送信先におけるファイルの処理の履歴に基づいて、前記送信ステップにおいて送信されるファイルに設定するモードを決定する決定ステップとをコンピュータに実行させる、画像形成装置の制御プログラム。
【発明の詳細な説明】
【技術分野】
【０００１】
この発明は、画像形成装置、画像形成装置の制御方法、および画像形成装置の制御プログラムに関し、特にファイルの送信を行なうことができる画像形成装置、画像形成装置の制御方法、および画像形成装置の制御プログラムに関する。
【背景技術】
【０００２】
近年、ネットワークによる機器の接続が充実化し、装置同士が協調して動作を行なうシステムなどが知られている。このようなシステムにおいてユーザは、使用する装置を意識せずに、いろいろなソースを装置間を跨って自由に制御したり、使用することができる。
【０００３】
画像形成装置（ＭＦＰ（Multi Function Peripheral）、複写機、ファクシミリ装置、スキャナ、デジタルカメラなど）においても同様な技術の流れがあり、普段使用している装置以外の装置であっても、ユーザは何不自由なく使用することが可能になってきている。
【０００４】
このような技術に関連して、下記特許文献１は、履歴情報を分析し操作状況を調査することで、セキュリティ管理や、業務の効率化を図る技術を開示している。
【特許文献１】特開２００４−５２３１号公報
【発明の開示】
【発明が解決しようとする課題】
【０００５】
ある装置に蓄積されている文書を、他の装置で印刷することを想定する。この場合において、文書が蓄積されている装置から他の装置に、文書ファイルとともに、推奨の印刷モード等の情報を送ることが考えられる。情報を受信した他の装置は、受信した推奨の印刷モードに従って文書ファイルを印刷する。また、印刷後に印刷ジョブの履歴を、履歴サーバに蓄積することが考えられる。
【０００６】
図７は、あるＭＦＰに蓄積されている文書を、他のＭＦＰで印刷するシステムの構成を示す図である。
【０００７】
図を参照してシステムは、複数のＭＦＰ２００ａ，２００ｎと、サーバなどである履歴の集約元１００とがネットワークで接続された構成を有している。
【０００８】
ここでは、ＭＦＰ２００ａを「送信側ＭＦＰ」と呼び、ＭＦＰ２００ｎを「受信側ＭＦＰ」と呼んでいる。
【０００９】
（１）に示されるように、ＭＦＰ２００ｎでユーザからＭＦＰ２００ａ内に蓄積された所望のデータを印刷する旨のジョブを受付けると、（２）に示されるようにＭＦＰ２００ｎは、ＭＦＰ２００ａに画像データ（ファイル）を要求する。
【００１０】
（３）に示されるように、ＭＦＰ２００ａは、要求を受けたＭＦＰ２００ｎに所望のデータを送信する。また、この時ＭＦＰ２００ａは、推奨される印刷モードも送信する。推奨される印刷モードは、所望のデータの作成者が予め設定しておくものである。
【００１１】
（４）に示されるように、ＭＦＰ２００ｎは、推奨の印刷モードに基づいて受信したデータを印刷する。但し、ＭＦＰ２００ｎのユーザ（ＭＦＰ２００ａ内の所望のデータを印刷する旨の要求を入力したユーザ）がそのユーザの好みなどにより、推奨の印刷モードを変更して、新たな印刷モードを設定した場合には、推奨の印刷モードは無効となる。
【００１２】
（５）に示されるように、ＭＦＰ２００ｎは、ジョブ実行の履歴を履歴の集約元１００に送信する。（６）に示されるように、履歴の集約元ではジョブ履歴を蓄積する。
【００１３】
しかしながら、図７のようなシステムを考えたとき、下記の課題が考えられる。
（ア）  ファイルと一緒に送られてくる推奨の印刷モードは、受信側が期待する印刷モードと一致しない場合がありえる。この場合、受信側の装置のユーザはモード変更を行なわなければならず、煩わしいという問題がある。また、出力ジョブのモード（印刷／送信などのジョブのモード）を推奨する場合に関しても、同様である。
【００１４】
（イ）  読取条件やフォーマットによっては、ユーザは受信した文書ファイルを変更できない場合が考えられる。
【００１５】
（ウ）  仮に、印刷モード、読取条件、フォーマット等を、受信側の期待と一致させることができたとしても、文書作成者の意図により、特定の印刷モード、読取条件、フォーマットしか許したくない場合が考えられる。
【００１６】
しかしながら、従来のシステムでは上記（ア）〜（ウ）の状況に有効に対処することができないという問題があった。
【００１７】
この発明は上記問題点を解決するためになされたものであり、ファイルを送信する場合にユーザの使い勝手を向上させることができる画像形成装置、画像形成装置の制御方法、および画像形成装置の制御プログラムを提供することを目的とする。
【課題を解決するための手段】
【００１８】
上記目的を達成するため、この発明のある局面に従うと、画像形成装置は、ファイルを送信する送信手段と、送信手段でファイルの送信を行なう送信先におけるファイルの処理の履歴を取得する取得手段と、送信先におけるファイルの処理の履歴に基づいて、送信手段において送信されるファイルに設定するモードを決定する決定手段とを備える。
【００１９】
好ましくは決定手段は、送信先における推奨モードを決定する。
好ましくは決定手段は、出力ジョブのモード、印刷モード、読取モード、およびファイルのフォーマットの少なくとも１つを決定する。
【００２０】
好ましくは送信手段は、決定手段で決定されたモードを、ファイルと共に送信先に送信する。
【００２１】
好ましくは決定手段で決定されたモードは、送信先で変更可能である。
好ましくは決定手段で決定されたモードの少なくとも一部は、送信先で変更不可能とされる。
【００２２】
好ましくは取得手段は、履歴を蓄積するサーバから、送信先におけるファイルの処理の履歴を取得する。
【００２３】
好ましくは送信先として、他の画像形成装置またはユーザを設定可能である。
この発明の他の局面に従うと、画像形成システムは、上記いずれかに記載の画像形成装置と、画像形成装置と通信を行なうファイル送信先の画像形成装置とを備える。
【００２４】
この発明のさらに他の局面に従うと画像形成装置の制御方法は、ファイルを送信する送信ステップと、送信ステップでファイルの送信を行なう送信先におけるファイルの処理の履歴を取得する取得ステップと、送信先におけるファイルの処理の履歴に基づいて、送信ステップにおいて送信されるファイルに設定するモードを決定する決定ステップとを備える。
【００２５】
この発明のさらに他の局面に従うと画像形成装置の制御プログラムは、ファイルを送信する送信ステップと、送信ステップでファイルの送信を行なう送信先におけるファイルの処理の履歴を取得する取得ステップと、送信先におけるファイルの処理の履歴に基づいて、送信ステップにおいて送信されるファイルに設定するモードを決定する決定ステップとをコンピュータに実行させる。
【発明の効果】
【００２６】
上記発明に従うと、ファイルを送信する場合にユーザの使い勝手を向上させることができる画像形成装置、画像形成装置の制御方法、および画像形成装置の制御プログラムを提供することが可能となる。
【発明を実施するための最良の形態】
【００２７】
［第１の実施の形態］
図１は、本発明の第１の実施の形態におけるファイル送受信システムを示す図である。
【００２８】
図を参照してファイル送受信システムは、ＬＡＮにより接続された複数のＰＣ（Personal Computer）３００ａ〜３００ｎと、複数のＭＦＰ２００ａ〜２００ｎと、履歴蓄積サーバ１００とから構成されている。
【００２９】
ＬＡＮは、有線であっても無線であってもよい。また、各機器間の通信手法はＬＡＮに限定されない。
【００３０】
履歴の集約元（送信先ＭＦＰ、送信元ＭＦＰ、または履歴蓄積サーバ）は、履歴を集約して管理する。送信元から送信先へ文書ファイルを送信する際に、履歴情報が取得される。履歴情報に基づいて、送信先に応じた推奨モードが設定される。
【００３１】
推奨モードとは、送信先で設定することが推奨されるモード（両面／片面などの印刷モード、印刷／送信などのジョブモードなど）、または、送信元で設定することが推奨されるモード（読取解像度などの読取条件、送信するファイルフォーマット／解像度などのファイル条件など）である。
【００３２】
また、推奨モードの設定においては、ファイル作成者の意図による制限を加えることができる。
【００３３】
このような構成により、印刷モードや、出力ジョブモード、読取条件、フォーマット、送信側の装置が出力するデータなどが、受信側の履歴に従った、受信側ユーザの期待するものとなる。これにより、ネットワークで接続された画像形成装置の利便性の向上を図ることができる。また、推奨モードの設定において、ファイル作成者の意図による制限を加えることで、利便性の向上を図った環境においても作成者の意図を維持できるという効果がある。
【００３４】
図２は、図１のＭＦＰ１台の構成を示すブロック図である。
図を参照してＭＦＰは、ＣＰＵ、ＲＯＭ、ＲＡＭなどを含み、装置全体の制御を行なう制御ユニット２０１と、ＬＡＮなどとの接続を行なうインタフェース２０３と、ユーザに対して情報を表示するとともに、ユーザからの入力を受付ける操作パネル２０５と、各種画像処理を行なう画像処理部２０７と、文書ファイルなどのデータやモード設定の履歴などを記録する記憶装置２０９と、原稿から画像を読取るスキャナなどから構成される画像読取部２１１と、用紙に画像を形成するプリンタエンジンなどから構成される印刷部２１３とを備える。
【００３５】
図３は、図１の履歴蓄積サーバまたはＰＣのハードウェア構成を示すブロック図である。
【００３６】
図を参照して、履歴蓄積サーバまたはＰＣは、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００３７】
フレキシブルディスクドライブ６１１により、フレキシブルディスクＦに記録されたプログラムや画像などのデータを読取ることが可能であり、ＣＤ−ＲＯＭドライブ６１３により、ＣＤ−ＲＯＭ６１３ａに記録されたプログラムや画像などのデータを読取ることが可能である。
【００３８】
本実施の形態においてはＭＦＰ２００ａ〜２００ｎ内にファイルを蓄積するものとし、蓄積されたファイルを他のＭＦＰから取出すことができるものとしている。
【００３９】
ファイルのプリントを行なう際、ユーザはＰＣ３００ａ〜３００ｎからＭＦＰ２００ａ〜２００ｎに画像データを送信するようにしてもよいし、ＭＦＰ２００ａ〜２００ｎ自身のスキャナから画像データを取得し、ＭＦＰで画像形成を行なうようにしてもよい。
【００４０】
ファイル（画像データなど）は、ＭＦＰ２００ａ〜２００ｎの記憶装置２０９に蓄積される。また、蓄積時のデータは、複数種類のフォーマットであることが想定される（たとえば、ＰＤＦファイル、ＰＣＬファイル、２値、多値、複数種類の解像度など）。
【００４１】
蓄積されるファイルと共に、記憶装置２０９には、ファイルの推奨される出力モード（印刷、送信、ＦＡＸ）や、印刷モード（片面、両面）などの情報がセットで保持される。
【００４２】
図４は、ＭＦＰ２００ｎでＭＦＰ２００ａに蓄積されているデータを印刷するときの処理を示す図である。
【００４３】
ここでは、ＭＦＰ２００ａを「送信側ＭＦＰ」と呼び、ＭＦＰ２００ｎを「受信側ＭＦＰ」と呼んでいる。
【００４４】
（１）に示されるように、ＭＦＰ２００ｎでユーザからＭＦＰ２００ａ内のファイル（ここでは画像データであるものとする。）を印刷する旨のジョブを受付けると、（２）に示されるようにＭＦＰ２００ｎは、ＭＦＰ２００ａに画像データを要求する。
【００４５】
履歴の集約元（ここでは履歴蓄積サーバ１００であるものとするが、ＭＦＰ２００ａ〜２００ｎ、ＰＣ３００ａ〜３００ｎの何れであってもよい。）は、過去に受信側ＭＦＰで設定された印刷モードをユーザ毎に集約する。
【００４６】
（３）に示されるように、ＭＦＰ２００ｎから画像データの要求を受けたＭＦＰ２００ａは、履歴の集約元１００に履歴情報を要求する。（４）において履歴の集約元１００は、ＭＦＰ２００ｎのユーザに関する履歴情報から、推奨される印刷モードを決定する。（５）に示されるように、履歴の集約元１００からＭＦＰ２００ａへ、推奨される印刷モードが送信される。
【００４７】
（６）に示されるように、ＭＦＰ２００ａは、履歴の集約元１００で決定された推奨の印刷モードで、画像ファイルに予めセットされていた推奨の印刷モード（データの作成者が予め設定しておいた印刷モード）を置換える。
【００４８】
（７）に示されるように、ＭＦＰ２００ａは、要求を受けたＭＦＰ２００ｎに所望のデータを送信する。また、この時ＭＦＰ２００ａは、推奨される印刷モードも送信する。推奨される印刷モードは、上述したとおり過去の履歴から決定されたものである。
【００４９】
（８）に示されるように、ＭＦＰ２００ｎは、推奨の印刷モードに基づいて受信したデータを印刷する。但し、ＭＦＰ２００ｎのユーザ（ＭＦＰ２００ａ内の所望のデータを印刷する旨の要求を入力したユーザ）がそのユーザの好みなどにより、推奨の印刷モードを変更して、新たな印刷モードを設定した場合には、推奨の印刷モードは無効となる。なお、モードの少なくとも一部は、ユーザによって変更不可能としてもよい。
【００５０】
（９）に示されるように、ＭＦＰ２００ｎは、ジョブ実行の履歴を履歴の集約元１００に送信する。（１０）に示されるように、履歴の集約元ではジョブ履歴を蓄積する。
【００５１】
このようにして、過去の履歴から決定した推奨の印刷モードを受信側ＭＦＰに送信することで、ユーザの期待する印刷モードと、画像データと一緒に送られてくる推奨の印刷モードとが一致する可能性が高くなる。これにより、ユーザは印刷モードの再設定をしなくても所望する印刷物を得る可能性を高めることができる。
【００５２】
図５は、ファイル送受信システムの動作を示すフローチャートである。
図において、ステップＳ１０１、Ｓ１０３、Ｓ１１５およびＳ１１７は、受信側ＭＦＰの処理を、ステップＳ１０５およびＳ１１３は、送信側ＭＦＰの処理を、ステップＳ１０７、Ｓ１０９、Ｓ１１１、Ｓ１１９、およびＳ１２１は、履歴の集約元の処理を示す。
【００５３】
ステップＳ１０１において、ユーザは、受信側ＭＦＰの操作パネルを介してユーザ認証を行なう。ステップＳ１０３において、受信側ＭＦＰは、送信すべきファイルを保存した送信側ＭＦＰに、ユーザ名と必要なデータ要求とを送信する。
【００５４】
ステップＳ１０５において、送信側ＭＦＰは履歴の集約元に、認証ユーザに対する履歴を要求する。
【００５５】
ステップＳ１０７において、履歴の集約元は、該当する履歴があるかを判定する。あれば、ステップＳ１０９において、ファイル作成者が設定した制約条件があるかを判定する。制約条件がなければ、ステップＳ１１１においてユーザの過去の履歴の中で最も多く設定されたモードを推奨のモードと決定する。
【００５６】
ステップＳ１１３において、推奨のモードが履歴の集約元から送信側ＭＦＰに送信される。これを受けて、送信側ＭＦＰは推奨のモードに基づいて送信ファイルの送信設定を行ない、推奨のモードと共に画像データを受信側ＭＦＰに送信する。
【００５７】
ステップＳ１１５において、受信側ＭＦＰは画像データを推奨のモードに従って印刷する。なお、印刷の前に推奨モードをユーザに表示し、必要であればそれを変更させることとしてもよい。
【００５８】
ステップＳ１１７において、実際の印刷で設定されたモードが履歴情報として履歴の集約元に送信される。
【００５９】
なお、ステップＳ１０７でユーザ履歴がない場合には、ステップＳ１２１でファイルとセットになっているモードを推奨モードとする。また、ステップＳ１０９で制約条件があれば、ステップＳ１１９においてファイル作成者が許可しているモードの範囲内で、最も履歴が多いモードを推奨モードとする。
【００６０】
上記処理においては、ステップＳ１０９において、データ作成者の意図を反映させる処理を行なっている。すなわち、履歴の集約元は、集められた情報を元に各ユーザ毎に対する設定モード（推奨の印刷モードなど）を決定するが、あらかじめファイル作成者が設定した制限事項も考慮に入れて推奨の設定モードが決定される。これにより、データ作成者が意図しない形態でデータの出力が行なわれることを防ぐことができる。
【００６１】
以上のように、上述の第１の実施の形態によると、送信側から送られてくる文書データのモード設定が、受信側ユーザの期待するものに一致する可能性が高くなるため、受信側ユーザの不要な処理を削減させることできるという効果がある。また、ファイル作成者の意図を反映させた制限を加えることができるという効果がある。
【００６２】
［第２の実施の形態］
図６は、第２の実施の形態におけるＭＦＰ２００ｎでＭＦＰ２００ａにより得られたデータを受信するときの処理を示す図である。
【００６３】
ここでは、ＭＦＰ２００ａを「送信側ＭＦＰ」と呼び、ＭＦＰ２００ｎを「受信側ＭＦＰ」と呼んでいる。
【００６４】
（１）に示されるように、ＭＦＰ２００ａでユーザからＭＦＰ２００ａで得られたファイル（ここではスキャンにより読取られた画像データであるものとする。）を送信する旨のジョブを受付ける。またこのとき、そのファイルの送信先ＭＦＰ（ジョブ宛先であるＭＦＰ２００ｎ）を示す情報を入力する。
【００６５】
履歴の集約元（ここでは履歴蓄積サーバ１００であるものとするが、ＭＦＰ２００ａ〜２００ｎ、ＰＣ３００ａ〜３００ｎの何れであってもよい。）は、過去に送信側ＭＦＰで設定されたモードをユーザ毎に集約する。
【００６６】
（２）に示されるように、ジョブを受付けたＭＦＰ２００ａは、履歴の集約先１００に履歴情報を要求する。（３）において履歴の集約元１００は、ＭＦＰ２００ａのユーザに関する履歴情報から、推奨されるモード（印刷モード、画像の読取モード、送信モードなど）を決定する。（４）に示されるように、履歴の集約元１００からＭＦＰ２００ａへ、推奨されるモードが送信される。
【００６７】
（５）に示されるように、ＭＦＰ２００ａは、履歴の集約元１００で決定された推奨の読取モードで、画像を読取る。但し、ＭＦＰ２００ａのユーザがそのユーザの好みなどにより、推奨のモードを変更して、新たなモードを設定した場合には、推奨のモードは無効となる。（６）に示されるように、読取った画像は推奨モードとともに、ジョブとして受信側ＭＦＰに送信される。
【００６８】
（７）に示されるように、ＭＦＰ２００ｎは、推奨のモードに基づいて画像データを処理する。
【００６９】
（８）に示されるように、ＭＦＰ２００ｎは、ジョブ実行の履歴を履歴の集約元１００に送信する。（９）に示されるように、履歴の集約元ではジョブ履歴を蓄積する。
【００７０】
このようにして、過去の履歴から決定した推奨のモードを送信側ＭＦＰに送信することで、ユーザの期待するモードと、推奨のモードとが一致する可能性が高くなる。これにより、ユーザはモードの再設定をしなくても所望する処理を実行できる可能性を高めることができる。
【００７１】
［変形例１］
なお上記実施の形態では、ファイルを送信するときに、履歴の集約元で推奨のモードを決定し、それを送信しているが、定期的に履歴の集約元から推奨のモードを送信側ＭＦＰに送信することで、送信側ＭＦＰで推奨のモードを管理するようにしてもよい。または、受信側ＭＦＰで推奨のモードを管理するようにしてもよい。
【００７２】
［変形例２］
また、上記実施の形態ではユーザに関する履歴情報から推奨されるモードを決定することとしたが、受信側ＭＦＰに関する履歴情報、ユーザに関する履歴情報、および印刷するファイルに関する履歴情報の少なくとも１つから、推奨される印刷モードを決定するようにしてもよい。すなわちたとえば、受信側ＭＦＰで最も多く設定されたモードや、印刷するファイルに最も多く設定されたモードを推奨モードとしてもよい。また、受信側ＭＦＰで過去に設定されたモード、認証されたユーザによって過去に設定されたモード、および印刷するファイルで過去に設定されたモードの少なくとも２つから、演算を行なって推奨モードを決定するようにしてもよい。
【００７３】
［その他］
なお、推奨の印刷モードとしては、両面印刷／片面印刷、カラー印刷／白黒印刷、プリント枚数、Ｎｉｎ１処理、仕上げ処理などを設定することができる。
【００７４】
また、推奨の読取モードとしては、原稿の読取条件、解像度などを設定することができる。また推奨の送信モードとしては、出力ジョブモード、送信するファイルのフォーマットなどを設定することができる。
【００７５】
本発明はＭＦＰ、ファクシミリ装置、複写機、ＰＣなどの文書送信装置を含む画像形成装置に対して実施することができる。
【００７６】
また、上述の実施の形態における処理は、ソフトウエアによって行なっても、ハードウエア回路を用いて行なってもよい。
【００７７】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００７８】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００７９】
【図１】本発明の第１の実施の形態におけるファイル送受信システムを示す図である。
【図２】図１のＭＦＰ１台の構成を示すブロック図である。
【図３】図１の履歴蓄積サーバまたはＰＣのハードウェア構成を示すブロック図である。
【図４】ＭＦＰ２００ｎでＭＦＰ２００ａに蓄積されているデータを印刷するときの処理を示す図である。
【図５】ファイル送受信システムの動作を示すフローチャートである。
【図６】第２の実施の形態におけるＭＦＰ２００ｎでＭＦＰ２００ａにより得られたデータを受信するときの処理を示す図である。
【図７】あるＭＦＰに蓄積されている文書を、他のＭＦＰで印刷するシステムの構成を示す図である。
【符号の説明】
【００８０】
１００  履歴蓄積サーバ（履歴の集約元）、２００ａ〜２００ｎ  ＭＦＰ、３００ａ〜３００ｎ  ＰＣ、２０１  制御ユニット、２０３  インタフェース、２０５  操作パネル、２０７  画像処理部、２０９  記憶装置、２１１  画像読取部、２１３  印刷部。
【図１】
2007306211.tif 000003
【図２】
2007306211.tif 000004
【図３】
2007306211.tif 000005
【図４】
2007306211.tif 000006
【図５】
2007306211.tif 000007
【図６】
2007306211.tif 000008
【図７】
2007306211.tif 000009